(57)【要約】【課題】首輪などのリングが操作部に係合することを防止し、意図することなく係留具本体の開口が形成されてリングが離脱し、動物が不用意に逃げ出すのを防止する。【解決手段】基部２１にフック部２２を一体に設けた係留具本体２と、ピン部３１に連結部３２を介して操作部３３を一体に設けて係留具本体２の基部２１に摺動自在に嵌挿された操作部材３と、係留具本体２の基部２１に配設されて係留具本体２の基部２１とフック部２２先端との間に形成される開口２ａを閉鎖する方向に操作部材３を付勢するスプリングとから構成される。そして、操作部材３の操作部３３が係留具本体２のフック部２２に当接して開口２ａを閉鎖するとき、基部２１および操作部３３による隅角部に係止されたリングが操作部３３をくぐって基部２１に接触するように、リングの内径に対して基部２１の上端面から操作部３３の下端面までの距離が設定される。【選択図】  図２
2008099631.tif 000002
【特許請求の範囲】
【請求項１】
動物の首輪などに取り付けたリングに着脱自在に係止可能な動物用係留具において、基部にフック部を一体に設けた係留具本体と、ピン部に連結部を介して操作部を一体に設けて係留具本体の基部に摺動自在に嵌挿された操作部材と、係留具本体の基部に配設されて係留具本体の基部とフック部先端との間に形成される開口を閉鎖する方向に操作部材を付勢するスプリングとから構成され、操作部材の操作部が、スプリングの付勢力により係留具本体のフック部に当接して開口を閉鎖するとき、係留具本体の基部および操作部材の操作部による隅角部に係止されたリングが操作部をくぐって基部に接触するようにリングの内径に対して基部の上端面から操作部の下端面までの距離が設定されることを特徴とする動物用係留具。
【請求項２】
前記係留具本体の基部に形成されたガイド穴の軸心と、動物の牽引力がリングを介してフック部に作用する方向とが略一致することを特徴とする請求項１記載の動物用係留具。
【請求項３】
前記操作部の外面側および該操作部と当接するフック部先端の外面側にわたって指先の腹に対応する連続する凹部が形成されることを特徴とする請求項１または２記載の動物用係留具。
【発明の詳細な説明】
【技術分野】
【０００１】
この発明は、主として犬や猫などの動物の首輪、胴ベルトなどに取り付けられるリングに着脱自在に連結される動物用係留具に関するものである。
【背景技術】
【０００２】
一般に、犬や猫などの愛玩動物を係留するチェーンやリードには、先端に係留具が設けられており、この係留具を、動物の首輪などに取り付けたＤ環と称されるリングに係止し、動物を散歩させるようにしている。
【０００３】
このような係留具１００としては、図６に示すように、フック部１０２を有する係留具本体１０１と、係留具本体１０１に摺動自在に嵌挿されたピン部１０４を有する係止ピン１０３と、係止ピン１０３を係留具本体１０１の開口１０１ａを閉鎖する方向に付勢するスプリング（図示せず）とから構成されている。そして、係留具本体１０１の側面側にスリット１０１ｘを形成するとともに、スリット１０１ｘを通して係止ピン１０３と一体の操作部１０５を係留具本体１０１の側面側に配置し、操作部１０５を指などによってスプリングの付勢力に抗して引き下げ操作することにより、係止ピン１０３を引き下げて係留具本体１０１の開口１０１ａを開放し、その開口１０１ａを通して首輪などのリングＲに係留具１００を係止し、あるいは、首輪などのリングＲから係留具１００を離脱するようにしている（例えば、特許文献１，２参照）。
【特許文献１】特開昭６２−２８８７１１号公報
【特許文献２】特開２００２−３１５４６４号公報
【発明の開示】
【発明が解決しようとする課題】
【０００４】
ところで、前述した動物用係留具を動物に取り付けた首輪などのリングに係止した際において、動物が寝転んでじゃれたり、暴れたりすると、意図することなく首輪などのリングが係留具から離脱し、係留していた動物が逃げ出すことがあった。何故リングが係留具から離脱するのか、詳細な理由は不明であるが、概略次のように考えられる。
【０００５】
係留具がリングを係止した場合において、リングは、係留具本体のフック部および係止ピンのピン部に沿って周方向に移動可能であるとともに、内外方向に移動可能である他、フック部およびピン部の回りに回転可能であり、さらに、フック部およびピン部の軸線に対してその周方向の任意の位置において傾斜可能となっている。このため、図６に示すように、動物が寝転んでじゃれたり、暴れたりした際に、係留具本体の側面側に配置された操作部にリングが係合し、両者が係合した状態で、こじりなどの何らかの理由でリングが係留具本体の開口を開放する方向である下方に移動するとき、操作部を介してピン部が同方向に移動されて開口が開放され、開放された開口を通してリングが離脱すると考えられる。
【０００６】
本発明は、このような問題点に鑑みてなされたもので、首輪などのリングが操作部に係合することを防止し、意図することなく係留具本体の開口が形成されてリングが離脱し、動物が不用意に逃げ出すのを防止することのできる動物用係留具を提供するものである。
【課題を解決するための手段】
【０００７】
本発明は、動物の首輪などに取り付けたリングに着脱自在に係止可能な動物用係留具において、基部にフック部を一体に設けた係留具本体と、ピン部に連結部を介して操作部を一体に設けて係留具本体の基部に摺動自在に嵌挿された操作部材と、係留具本体の基部に配設されて係留具本体の基部とフック部先端との間に形成される開口を閉鎖する方向に操作部材を付勢するスプリングとから構成され、操作部材の操作部が、スプリングの付勢力により係留具本体のフック部に当接して開口を閉鎖するとき、係留具本体の基部および操作部材の操作部による隅角部に係止されたリングが操作部をくぐって基部に接触するようにリングの内径に対して基部の上端面から操作部の下端面までの距離が設定されることを特徴とするものである。
【０００８】
本発明によれば、動物に取り付けた首輪などのリングに係留具を係止した際において、リングが係留具本体のフック部および操作部材の操作部に対して移動し、係留具本体の基部および操作部材の操作部による隅角部に係止されて回動したとしても、リングは、操作部をくぐって基部に接触することから、操作部に係合することが防止される。
【０００９】
この結果、首輪などのリングが操作部材の操作部に係合することを防止できることから、意図することなく開口が形成されてリングが離脱し、動物が不用意に逃げ出すのを防止することができる。
【００１０】
本発明において、前記係留具本体の基部に形成されたガイド穴の軸心と、動物の牽引力がリングを介してフック部に作用する方向とが略一致すると、フック部に必要以上の曲げモーメントが作用せず、耐久性の向上を期待できる。
【００１１】
本発明において、前記操作部の外面側および該操作部と当接するフック部先端の外面側にわたって指先の腹に対応する連続する凹部が形成されると、操作部の引き下げ操作に際して、親指の腹を配置して滑りの発生を抑えることができる。
【発明の効果】
【００１２】
本発明によれば、首輪などのリングが操作部に係合することを防止し、意図することなく係留具本体の開口が形成されてリングが離脱し、動物が不用意に逃げ出すのを防止することができる。
【発明を実施するための最良の形態】
【００１３】
以下、本発明の実施の形態を図面に基づいて説明する。
【００１４】
図１乃至図３には、本発明の動物用係留具１の一実施形態が示されている。
【００１５】
この係留具１は、開口２ａを有する係留具本体２と、係留具本体２に摺動自在に嵌挿された操作部材３と、係留具本体２の開口２ａを閉鎖する方向に操作部材３を付勢するスプリング４と、係留具本体２に連結されてリードなどと連結可能な係止環５とから構成され、スプリング４を除く係留具本体２、操作部材３および係止環５は、金属、例えば、亜鉛合金から形成されている。
【００１６】
係留具本体２は、横断面が略パイプ状の基部２１と、基部２１の外周面上部に一体に設けられた鉤状のフック部２２と、基部２１の下端に一体に設けられた軸部２３と、からなり、基部２１の上端面とフック部２２の先端との間に開口２ａが形成され、この開口２ａを通して動物の首輪などに取り付けられたリングＲ（図６参照）を挿入し、あるいは、離脱させることができる。そして、係留具本体２の基部２１には、スプリング４を配設するとともに、後述する操作部材３のピン部３１を摺動自在に案内する横断面円形のガイド穴２１ａが上端面から下方に向かって形成され、また、ガイド穴２１ａに連通するスリット２１ｂが基部２１に対するフック部２２の接続部分と対向する側に開口して上下方向に形成されている。これらのガイド穴２１ａおよびスリット２１ｂは、スプリング４を配設した状態での操作部材３の昇降ストロークに対応して長さが設定されている。
【００１７】
一方、係留具本体２のフック部２２には、その先端部外面側に親指の腹に対応する凹部２２ａが形成されており、後述する操作部材３の操作部３３の外面側に形成される凹部３３ａとにわたって親指の腹を配置することができる。合わせて、フック部２２には、その先端と対向する側の外面側にも凹部２２ｂが形成されており、人指し指の腹を巻き付けるように配置することができる。また、係留具本体２のフック部２２は、その先端部外面および先端部と対向する側の外面が基部２１の軸芯に対してほぼ等距離にあるように形成されており、これにより、リングＲを介してフック部２２に作用する動物による牽引力の方向は、基部２１の軸芯方向とほぼ重なるように設定されている。
【００１８】
なお、係留具本体２の軸部２３には、リードなどに設けた係止環５がその軸芯回りに回転自在に連結されている。
【００１９】
操作部材３は、横断面円筒形状のピン部３１と、ピン部３１の外周面上部に一体に設けられた板状の連結部３２と、連結部３２に、該連結部３２に対するピン部３１と対向する側に一体に設けられた横断面略方形状の操作部３３と、からなり、前述した係留具本体２の基部２１に形成されたガイド穴２１ａおよびスリット２１ｂに対応して形成されている。すなわち、操作部材３のピン部３１および連結部３２を係留具本体２における基部２１のガイド穴２１ａおよびスリット２１ｂに揺動自在に嵌挿することができ、その際、操作部３３が基部２１の、基部２１に対するフック部２２の接続部分と対向する側に配置されるようになっている。そして、操作部材３がスプリング４の付勢力によって上方に押し上げられて操作部３３の先端面がフック部２２の先端面に当接し、係留具本体２の開口２ａを閉鎖するとき、連結部３２およびピン部３１は、係留具本体２における基部２１の上端面から突出することなくスリット２１ｂおよびガイド穴２１ａ内に収容されるようになっている。また、操作部材３の操作部３３の外面側には、凹部３３ａが形成されており、この凹部３３ａは、操作部３３の先端面がフック部２２の先端面に当接した際において、前述したフック部２２の先端部外面側に形成された凹部２２ａに連続するように形成され、これらの凹部２２ａ，３３ａにわたって親指の腹を配置することができる。この場合、凹部２２ａ，３３ａの表面には、指が滑らないように、摩擦抵抗を増大させる凹凸模様が形成されることが好ましい。
【００２０】
なお、操作部材３における操作部３３の足の長さ、すなわち、操作部３３の先端面がフック部２２の先端面に当接した際において、係留具本体２の基部２１の上端面から操作部３３の下端面までの距離Ｌ（図３参照）は、使用されるリングＲの大きさに合わせて設定されている。具体的には、犬種や大きさに合わせて使用されるリングＲが係留具本体２の基部２１と操作部材３の操作部３３によって形成される隅角部に係止された際において、その内径よりも小さく設定されている。これにより、リングＲが、係留具本体２の基部２１と操作部材３の操作部３３によって形成される隅角部に係止され、該係止部分を中心に回動した場合、リングＲは、操作部３３に干渉することなくくぐることができ、その先端部分が操作部３３の下方において、基部２１に接触するようになっている。
【００２１】
次にこのように構成された係留具１の作動について説明する。
【００２２】
まず、動物の散歩などにおいて、親指の腹を係留具本体２のフック部２２に形成された凹部２２ａおよび操作部材３の操作部３３に形成された凹部３３ａにわたってあてがい、スプリング４の付勢力に抗して操作部３３、すなわち、操作部材３を引き下げ、係留具本体２の開口２ａを開放する。この際、操作部３３は、係留具本体２の基部２１に形成されたガイド穴２１ａおよびスリット２１ｂに案内されてそれぞれピン部３１および連結部３２が摺動することから、横ぶれすることなく引き下げ操作することができる。
【００２３】
次いで、開放された係留具本体２の開口２ａを通して動物の首輪に取り付けられたリングＲをフック部２２の内方に配置した後、操作部３３から指先を離せば、操作部材３はスプリング４の付勢力によって押し上げられ、フック部２２の先端面に操作部３３の先端面が当接し、係留具本体２の開口２ａを閉鎖する。
【００２４】
これにより、動物に装着された首輪のリングＲに係留具１を係止することができ、また、係留具１の係止環５にリードなどを連結することにより、飼い主は、リードなどを把握して動物を散歩させることができる。
【００２５】
ここで、動物が飼い主よりも先行し、リードなどを牽引するときには、リングＲは係留具１のフック部２２の上部と係止し、係留具１から外れることはない。その際、フック部２２に作用する牽引力の方向は、基部２１の軸芯方向とほぼ重なることから、力学的に有利となり、耐久性を向上させることができる。
【００２６】
一方、このような散歩の過程において、動物が寝転んでじゃれたり、暴れたりすることにより、リングＲが、操作部材３の操作部３３あるいは係留具本体２のフック部２２に沿って移動し、操作部３３と基部２１とで形成される隅角部に達し、該隅角部を中心として下方に向けて回動したとしても、操作部材３の操作部３３の足の長さＬは、リングＲの内径よりも十分に小さいため、図４および図５に示すように、操作部３３の外面に係合することはなく、操作部３３をくぐって垂れ下がり、その下方において基部２１に接触するものとなる。仮に、リングＲの一部が操作部３３の一部に接触したとしても、前述したように、リングＲは、その内径が操作部３３の足Ｌよりも十分に大きいため、操作部３３に接触した状態を継続することなく滑落する。
【００２７】
このため、リングＲが操作部３３に係合することはなく、すなわち、飼い主が意図しないにも関わらず、係留具本体２の開口２ａが開放されることがなく、係留具１からのリングＲの離脱、すなわち、動物が不用意に逃げ出すことを確実に防止することができる。
【００２８】
ここで、図４は、大型犬の係留具１と、大型犬の首輪に取り付けられるリングＲ１の関係を示し、図５は、小型犬に対する係留具１と、小型犬の首輪に取り付けられるリングＲ２の関係を示している。具体的には、図４においては、大型犬に使用される外面幅２５ｍｍのフック部２２を有する係留具１に対して、軸径４ｍｍ、外径３２ｍｍのリングＲ１を係止した際において、リングＲ１が操作部３３をくぐり抜けることができるように、操作部３３の足Ｌ１を設定した場合を示し、図５においては、小型犬に使用される外面幅１５ｍｍのフック部２２を有する係留具１に対して、軸径２．５ｍｍ、外径１８ｍｍのリングＲ２を係止した際において、リングＲ２が操作部３３をくぐり抜けることができるように、操作部３３の足Ｌ２を設定した場合を示している。
【図面の簡単な説明】
【００２９】
【図１】本発明の動物用係留具の一実施形態を示す斜視図である。
【図２】図１の動物用係留具の分解斜視図である。
【図３】図１の動物用係留具の縦断面図である。
【図４】本発明の大型犬の係留具とリングとの関係を示す正面図である。
【図５】本発明の小型犬の係留具とリングとの関係を示す正面図である。
【図６】従来の動物用係留具に対するリングの移動に伴う開口の開放要領を説明する斜視図である。
【符号の説明】
【００３０】
１  係留具
２  係留具本体
２１  基部
２１ａ  ガイド穴
２１ｂ  スリット
２２  フック部
２２ａ  凹部
３  操作部材
３１  ピン部
３２  連結部
３３  操作部
４  スプリング
Ｒ，Ｒ１，Ｒ２  リング
【図１】
2008099631.tif 000003
【図２】
2008099631.tif 000004
【図３】
2008099631.tif 000005
【図４】
2008099631.tif 000006
【図５】
2008099631.tif 000007
【図６】
2008099631.tif 000008